(57)【特許請求の範囲】
【請求項１】
駆動部からの駆動力により軸線回りに回転する回転テーブルと、
前記回転テーブルに固体燃料を供給する燃料供給部と、
前記回転テーブルに供給された前記固体燃料を粉砕するローラと、
前記回転テーブルの上方に設けられるとともに前記軸線回りに配置される複数の羽根を該軸線回りに回転させる回転式分級部と、
前記ローラにより粉砕された前記固体燃料を前記回転式分級部へ供給するための酸化性ガスを送風する送風部と、を備え、
前記回転式分級部は、前記ローラにより粉砕された前記固体燃料のうち所定粒径より小さい微粒粉を外周側空間から前記複数の羽根に囲まれる内周側空間へ導くとともに、前記複数の羽根との衝突によって前記所定粒径より大きい粗粒粉が前記内周側空間へ侵入することを抑制し、
前記複数の羽根のそれぞれは、長手方向の一端部を前記軸線に沿った上方に配置するとともに他端部を前記軸線に沿った下方に配置した平板状であるとともに、前記一端部の方が前記他端部よりも前記回転式分級部の回転方向の上流側に後退した位置となるように前記長手方向が前記軸線方向から傾斜している竪型ローラミル。
【請求項２】
前記軸線を中心とした前記複数の羽根の外周側端部が通過する面が前記軸線に沿った上方から下方に向けて突出する円錐台の側面となっており、
該円錐台の側面と前記軸線に直交する平面とが形成する角度が６５度以上かつ７５度以下である請求項１に記載の竪型ローラミル。
【請求項３】
前記円錐台の側面と前記軸線に直交する平面とが形成する角度が７０度である請求項２に記載の竪型ローラミル。
【請求項４】
前記羽根を前記軸線に直交しかつ該羽根と該軸線とを通過する径方向からみた場合に、前記長手方向が前記軸線方向から１３度以上かつ２３度以下の角度で傾斜している請求項１から請求項３のいずれか一項に記載の竪型ローラミル。
【請求項５】
前記羽根を前記軸線に直交しかつ該羽根と該軸線とを通過する径方向からみた場合に、前記長手方向が前記軸線方向から１８度傾斜している請求項４に記載の竪型ローラミル。
【発明の詳細な説明】
【技術分野】
【０００１】
本発明は、回転式分級部を備えた竪型ローラミルに関するものである。
【背景技術】
【０００２】
従来、石炭等の固体燃料を粉砕して所定粒径より小さい微粒粉に分級する分級器を備えるローラミルが知られている（例えば、特許文献１参照。）。特許文献１に開示されたローラミルは、回転式分級器が内部に配置された分級補助コーンを備えている。分級補助コーンは、その上端部に回転式分級器への横向の旋回流に変える複数個の偏流板を備えている。
【０００３】
特許文献１に開示されたローラミルは、熱風により上昇する固体燃料を偏流板によって横向の旋回流として分級補助コーンの内部に導き、固体燃料に含まれる粗粒粉を分級補助コーンの内壁面から下方に落下させる。分級補助コーンから落下した粗粒粉は、テーブルにて粉砕ローラにより再び粉砕される。分級補助コーンの内部で回転式分級器により分級された所定粒径よりも小さい微粒粉は、ローラミルの外部に導かれる。
【先行技術文献】
【特許文献】
【０００４】
【特許文献１】特許第２６１７６２３号公報
【発明の概要】
【発明が解決しようとする課題】
【０００５】
特許文献１に開示されたローラミルは、回転式分級部が下向きに傾斜した回転翼を備えるものである。そのため、回転翼が粗粒粉に衝突すると粗粒粉は下方に向かって飛散する。特許文献１に開示されたローラミルのように、分級補助コーンを備える回転式分級器であれば、下方に向かって飛散した粗粒粉が分級補助コーンによって回収されてテーブルに供給される。
【０００６】
しかしながら、分級補助コーンを用いない回転式分級器を備えるローラミルの場合、粗粒粉が下方に向かって飛散すると、飛散する粗粒粉と回転式分級器の内周側空間に流入しようとする微粒粉とが干渉し、内周側空間への微粒粉の流入効率が低下してしまう。
また、この干渉のため、飛散する粗粒粉の一部が内周側空間へ流入する微粒粉に混入して外周側空間から内周側空間へ流入してしまう。
【０００７】
本発明は、上記の課題を解決するためになされたものであり、回転式分級部の外周側空間から内周側空間への微粒粉の流入効率を高めつつ、粗粒粉が外周側空間から内周側空間へ流入することを抑制した竪型ローラミルを提供することを目的とする。
【課題を解決するための手段】
【０００８】
本発明は、上記の課題を解決するため、下記の手段を採用した。
本発明の一態様に係る竪型ローラミルは、駆動部からの駆動力により軸線回りに回転する回転テーブルと、前記回転テーブルに固体燃料を供給する燃料供給部と、前記回転テーブルに供給された前記固体燃料を粉砕するローラと、前記回転テーブルの上方に設けられるとともに前記軸線回りに配置される複数の羽根を該軸線回りに回転させる回転式分級部と、前記ローラにより粉砕された前記固体燃料を前記回転式分級部へ供給するための酸化性ガスを送風する送風部と、を備え、前記回転式分級部は、前記ローラにより粉砕された前記固体燃料のうち所定粒径より小さい微粒粉を外周側空間から前記複数の羽根に囲まれる内周側空間へ導くとともに、前記複数の羽根との衝突によって前記所定粒径より大きい粗粒粉が前記内周側空間へ侵入することを抑制する。
【０００９】
本発明の一態様に係る竪型ローラミルによれば、燃料供給部によって回転テーブルに供給される固体燃料は、ローラによって粉砕された後に送風部が送風する酸化性ガスとともに回転式分級部の外周側空間に導かれる。粉砕された固体燃料のうち所定粒径より小さい微粒粉は、外周側空間から複数の羽根に囲まれる内周側空間へ導かれる。一方、所定粒径より大きい粗粒粉は、複数の羽根との衝突によって内周側空間へ侵入することが抑制される。
【００１０】
本発明の一態様に係る竪型ローラミルによれば、回転式分級部の羽根と衝突した粗粒粉が飛散する飛散方向と微粒粉が内周側空間へ導かれる流入方向とが干渉しない。そのため、微粒粉の内周側空間への流入が粗粒粉によって妨げられることが抑制され、外周側空間から内周側空間への微粒粉の流入効率を高めることができる。
また、羽根が粗粒粉に衝突すると、粗粒粉は水平方向よりも上方に向けた方向へ飛散する。そのため、外周側空間の羽根の近傍の領域で下方から上方に向けた気流の流れが形成され、気流の流れの乱れによって粗粒粉が外周側空間から内周側空間へ流入してしまう不具合を抑制することができる。
【００１１】
本発明の一態様に係る竪型ローラミルにおいて、前記軸線を中心とした前記複数の羽根の外周側端部が通過する面が前記軸線に沿った上方から下方に向けて突出する円錐台の側面となっており、該円錐台の側面と前記軸線に直交する平面とが形成する角度が６５度以上かつ７５度以下である構成としてもよい。特に好ましくは、この角度を７０度とする構成である。
【００１２】
発明者らは、複数の羽根の外周側端部が通過する面である円錐台の側面と軸線に直交する平面とが形成する角度を変化させて回転式分級部の分級性能の比較を行ったところ、この角度を６５度以上かつ７５度以下とすることにより、高い分級性能が得られるという知見を得た。特に、この角度を７０度とすることにより、高い分級性能が得られるという知見を得た。
【００１３】
ここでいう分級性能とは、回転式分級部を通過した分級後の固体炭素質燃料のうち第１の粒径（例えば、７５μｍ）以下の微粒粉の積算重量割合と、回転式分級部を通過した分級後の固体炭素質燃料のうち第１の粒径より大きい第２の粒径（例えば、１５０μｍ）以上の粗粒粉の積算重量割合とをいう。前者の数値が大きくかつ後者の数値が小さいほど、微粒分の割合が高くかつ粗粒粉の割合が低くなり、分級性能が高いと評価される。
【００１４】
本構成によれば、複数の羽根の外周側端部が通過する面である円錐台の側面の傾斜角度を、軸線に直交する平面に対して６５度以上かつ７５度以下（好ましくは７０度）とすることにより、回転式分級部の外周側空間から内周側空間への微粒粉の流入効率を高めつつ、粗粒粉が外周側空間から内周側空間へ流入することを抑制することができる。
【００１５】
本発明の一態様に係る竪型ローラミルにおいて、前記複数の羽根のそれぞれは、長手方向の一端部を前記軸線に沿った上方に配置するとともに他端部を前記軸線に沿った下方に配置した平板状であるとともに、前記一端部の方が前記他端部よりも前記回転式分級部の回転方向の上流側に後退した位置となるように前記長手方向が前記軸線方向から傾斜している。
【００１６】
本発明の一態様に係る竪型ローラミルによれば、平板状の羽根の長手方向の一端部の方が他端部よりも回転式分級部の回転方向の上流側に後退した位置となるように長手方向が軸線方向から傾斜している。そのため、平板状の羽根の法線方向は、水平方向よりも上方に向けて傾斜した方向となる。よって、羽根に衝突した粗粒粉は、水平方向よりも上方に向けた方向に飛散する。
そのため、長手方向が軸線方向から傾斜した平板状の羽根の作用によって、外周側空間の羽根の近傍の領域で下方から上方に向けた気流の流れがより確実に形成され、気流の流れの乱れによって粗粒粉が外周側空間から内周側空間へ流入してしまう不具合を抑制することができる。
【００１７】
本発明の一態様に係る竪型ローラミルにおいては、前記羽根を前記軸線に直交しかつ該羽根と該軸線とを通過する径方向からみた場合に、前記長手方向が前記軸線方向から１３度以上かつ２３度以下の角度で傾斜しているようにしてもよい。
発明者らは、長手方向が軸線方向から傾斜した平板状の羽根の傾斜角度（羽根を径方向からみた場合に羽根の長手方向が軸線方向となす角度）を変化させて回転式分級部の分級性能の比較を行ったところ、この角度を１３度以上かつ２３度以下の角度とすることにより、高い分級性能が得られるという知見を得た。特に、この角度を１８度とすることにより、高い分級性能が得られるという知見を得た。
【００１８】
本発明の一態様に係る竪型ローラミルによれば、長手方向が軸線方向から傾斜した平板状の羽根の傾斜角度（羽根を径方向からみた場合に羽根の長手方向が軸線方向となす角度）を１３度以上かつ２３度以下の角度（好ましくは１８度）とすることにより、回転式分級部の外周側空間から内周側空間への微粒粉の流入効率を高めつつ、粗粒粉が外周側空間から内周側空間へ流入することを抑制することができる。
【発明の効果】
【００１９】
本発明によれば、回転式分級部の外周側空間から内周側空間への微粒粉の流入効率を高めつつ、粗粒粉が外周側空間から内周側空間へ流入することを抑制した竪型ローラミルを提供することができる。
【図面の簡単な説明】
【００２０】
【図１】一実施形態の竪型ローラミルを示す縦断面図である。
【図２】図１に示す回転式分級部の正面図である。
【図３】図２に示す回転式分級部のＡ−Ａ矢視断面図である。
【図４】図１に示す回転式分級部の要部を拡大した縦断面図である。
【図５】２００メッシュを通過する粒径の固体燃料の積算重量割合と１００メッシュを通過せずに残存する粒径の固体燃料の積算重量割合との関係を示す図である。
【発明を実施するための形態】
【００２１】
以下、本発明の一実施形態の竪型ローラミルについて、図面を参照して説明する。
竪型ローラミル１００は、石炭等の固体燃料を粉砕しつつ乾燥させ、所定粒径よりも小さい微粒粉に分級する装置である。
図１に示すように、本実施形態の竪型ローラミル１００は、回転テーブル１０と、燃料供給部２０と、ローラ３０と、回転式分級部４０と、吹出口５０（送風部）と、ハウジング６０と、駆動部７０と、旋回用ベーン８０とを備える。
【００２２】
回転テーブル１０は、鉛直方向に延びるとともに竪型ローラミル１００の中心軸である軸線Ｘ回りに回転する円板状の部材である。回転テーブル１０は、中央部１０ａと外周部１０ｂとを有する。外周部１０ｂは軸線Ｘに沿った下方に向けた凹形状となっている。回転テーブル１０は、駆動部７０から駆動軸７１を介して伝達される駆動力により、軸線Ｘ回りに回転する。
【００２３】
燃料供給部２０は、回転テーブル１０の上方から軸線Ｘに沿って中央部１０ａに固体燃料を供給する筒状の部材である。燃料供給部２０は、給炭機（図示略）から供給される固体燃料を回転テーブル１０の中央部１０ａへ供給する。
【００２４】
ローラ３０は、回転テーブル１０の外周部１０ｂを押圧するローラ本体３２と、ローラ本体３２を揺動させる中心軸となる揺動軸３１と、ローラ本体３２を支持する支持軸３３とを有する。ローラ３０は、押圧機構（図示略）により支持軸３３を押圧することによりローラ本体３２を揺動軸３１回りに回転させる。ローラ本体３２は、ローラ本体３２が揺動軸３１回りに回転するのに伴って、回転テーブル１０の外周部１０ｂを押圧する。
ローラ本体３２は、回転テーブル１０の外周部１０ｂを押圧するのに伴って軸線Ｙ回りに回転する。ローラ本体３２は、回転テーブル１０の回転に伴って中央部１０ａから外周部１０ｂに移動する固体燃料を回転テーブル１０に付与する押圧力によって粉砕する。
【００２５】
図１では、ローラ３０が１つのみ示されているが、回転テーブル１０の外周部１０ｂを押圧するように、軸線Ｘ回りの周方向に一定の間隔を空けて、複数のローラ３０が配置される。例えば、外周部１０ｂ上に軸線Ｘ回りに１２０°の角度間隔を空けて、３つのローラ３０が配置される。この場合、３つのローラ３０が回転テーブル１０の外周部１０ｂと接する部分（押圧する部分）は、回転テーブル１０の中央部１０ａからの距離が等距離となる。
【００２６】
回転式分級部４０は、軸線Ｘ回りに一定間隔で配置される複数の分級羽根４１（羽根）を軸線Ｘ回りに回転させることにより、ローラ３０により粉砕された固体燃料を所定粒径より小さい微粒粉に分級する装置である。図１に示すように、回転式分級部４０は、回転テーブル１０の上方に燃料供給部２０を軸線Ｘ回りに取り囲むように設けられている。回転式分級部４０は、駆動モータ（図示略）によって軸線Ｘ回りに回転する動力が与えられる。回転式分級部４０の詳細については後述する。
【００２７】
回転式分級部４０は、軸線Ｘ回りに回転する分級羽根４１が発生させる遠心力（軸線Ｘから遠ざかる方向の力）と、後述する吹出口５０から流入する一次空気の気流による向心力（軸線Ｘに近づく方向の力）とのバランスにより、固体燃料を所定粒径より小さい微粒粉と、所定粒径より大きい粗粒粉とに分級する。すなわち、回転式分級部４０は、ローラ３０により粉砕された固体燃料のうち所定粒径より小さい微粒粉を外周側空間Ｓ１から複数の羽根４１に囲まれる内周側空間Ｓ２へ導く。また、回転式分級部４０は、複数の羽根４１との衝突によって所定粒径より大きい粗粒粉が内周側空間Ｓ２へ侵入することを抑制する。
【００２８】
ここでいう所定粒径とは、例えば、７５μｍ以下の粒径である。回転式分級部４０は、様々な粒径の固体燃料が混合した状態の気流を微粒粉と粗粒粉とに分級するものである。微粒粉と粗粒粉とはそれぞれ細かい粒子であるため、回転式分級部４０は、微粒粉と粗粒粉とを完全に分離させることはできない。回転式分級部４０は、供給流路４２へ供給される固体燃料に含まれる所定粒径以下の固体燃料の積算重量割合が一定割合以上となるように固体燃料を分級する。目標とする分級性能は、例えば、供給流路４２へ供給される固体燃料に含まれる７５μｍ以下の粒径の固体燃料の積算重量割合が８０％以上となるようにすることである。
【００２９】
吹出口５０は、ローラ３０により粉砕された固体燃料を回転式分級部４０へ供給するための一次空気（一次酸化性ガス）を送風する装置である。吹出口５０は回転テーブル１０の外周側において軸線Ｘ回りの複数箇所に設けられている。吹出口５０は、一次空気流路５１から流入する一次空気をハウジング６０内の回転テーブルの上方の空間に流出させる。
【００３０】
吹出口５０の上方には旋回用ベーン８０が設置されており、吹出口５０から流出した一次空気に軸線Ｘ回りに旋回する旋回力が与えられるようになっている。図１に実線と破線の矢印で示すように、旋回用ベーン８０により旋回力が与えられた一次空気は、回転テーブル１０上で粉砕された固体燃料をハウジング６０の上方の回転式分級部４０へ導く。なお、図１に実線と破線の矢印で示すように、一次空気に混合した固体燃料の粉砕物のうち、粒径の大きいものは回転式分級部４０の内周側空間Ｓ２まで到達することなく落下して回転テーブル１０に再び戻される。
【００３１】
ハウジング６０は、竪型ローラミル１００の各部を収容する筐体である。ハウジング６０の上方には、筒状の燃料供給部２０が挿入されている。また、ハウジング６０の上方は、回転式分級部４０で所定粒径よりより小さい微粒粉を外部へ供給する供給流路４２と連通している。また、ハウジング６０の下方は、一次空気を供給する一次空気流路５１と連通している。
【００３２】
駆動部７０は、軸線Ｘ回りに駆動軸７１を回転させる駆動源である。駆動軸７１の先端は回転テーブル１０に連結されている。回転テーブル１０は、駆動軸７１が軸線Ｘ回りに回転するのに伴って軸線Ｘ回りに回転する。
【００３３】
次に、本実施形態の回転式分級部４０について図２〜図４を参照して説明する。
図２に示すように、回転式分級部４０は、軸線Ｘに沿った上方から下方に向けて突出するとともに、上方から下方に向けて軸線Ｘに直交する断面の断面積が徐々に小さくなる形状となっている。また、図３に示すように、軸線Ｘを中心とした複数の分級羽根４１の外周側端部４１ｃが通過する位置（図３に破線で示す位置）は、軸線Ｘを中心とした円周上の位置となっている。
そのため、軸線Ｘを中心とした複数の分級羽根４１の外周側端部４１ｃが通過する面は、軸線Ｘに沿った上方から下方に向けて突出する円錐台の側面となっている。
図４に示すように、複数の分級羽根４１の外周側端部４１ｃが通過する円錐台の側面と、軸線Ｘに直交する平面とが形成する角度はθ１となっている。
【００３４】
図２に示すように、複数の分級羽根４１のそれぞれは、軸線Ｚに沿った長手方向に延びる平板状の部材である。複数の分級羽根４１のそれぞれは、長手方向の一端部４１ａが軸線Ｘに沿った上方に配置され、他端部４１ｂが軸線Ｘに沿った下方に配置されている。図２に示すように、一端部４１ａの方が他端部４１ｂよりも回転式分級部４０の回転方向（図２に矢印で示す右から左に向けた方向）の上流側に後退した位置となるように、軸線Ｚに沿った長手方向が軸線Ｘ方向からθ２だけ傾斜している。
【００３５】
前述したように、回転式分級部４０は、分級羽根４１が発生させる遠心力（軸線Ｘから遠ざかる方向の力）と、吹出口５０から流入する一次空気の気流による向心力（軸線Ｘに近づく方向の力）とのバランスにより、固体燃料を所定粒径より小さい微粒粉と、所定粒径より大きい粗粒粉とに分級するものである。そのため、外周側空間Ｓ１から内周側空間Ｓ２へ流入しようとする微粒粉の流入方向と、分級羽根４１に衝突した粗粒粉の飛散方向とが干渉しないのが望ましい。
【００３６】
微粒粉の流入方向と粗粒粉の飛散方向とが干渉すると、微粒粉の流入が粗粒粉の飛散によって妨げられるとともに、粗粒粉の飛散が微粒粉の流入によって妨げられてしまう。そうすると、回転式分級部４０から供給流路４２に排出される固体燃料に含まれる微粒粉の積算重量割合が減少するとともに固体燃料に含まれる粗粒粉の積算重量割合が増加し、回転式分級部４０の分級性能が低下してしまう。
【００３７】
図４では、軸線Ｘに平行な流入方向Ｆｉ１に沿って下方から流入した粗粒粉が位置Ｐで分級羽根４１に衝突して飛散方向Ｆｏ１へ飛散し、軸線Ｘから傾斜した流入方向Ｆｉ２に沿って下方から流入した粗粒粉が位置Ｐで分級羽根４１に衝突して飛散方向Ｆｏ２へ飛散する例が示されている。
微粒粉の流入方向と粗粒粉の飛散方向とが干渉しないように分級羽根４１の形状が設定されている場合、図４に示すように、分級羽根４１に衝突して飛散した粗粒粉が水平方向より上方に向けて飛散してハウジング６０の内周面に到達し、ハウジング６０の内周面に沿って下方へ落下する流れが形成される。
【００３８】
図４に示すように粗粒粉をハウジング６０の内周面に沿って下方へ落下する流れを形成するには、分級羽根４１に衝突した粗粒粉をハウジング６０の上方へ向けて飛散させて内周面近傍まで確実に到達させるようにするのが望ましい。
そのため、本実施形態では、分級羽根４１の一端部４１ａの方が他端部４１ｂよりも回転式分級部４０の回転方向の上流側に後退した位置となるように、長手方向が軸線Ｘ方向からθ２だけ傾斜させている。このように傾斜させることで、分級羽根４１に衝突した粗粒粉には、水平方向からθ２だけ上向きの方向に飛散する力が与えられる。
【００３９】
以上のように、分級羽根４１の形状は、粗粒粉が飛散する飛散方向Ｆｏ１，Ｆｏ２と微粒粉が内周側空間Ｓ２へ導かれる流入方向Ｆｉ１，Ｆｉ２とが干渉せず、かつ飛散方向Ｆｏ１，Ｆｏ２が水平方向よりも上方に向けた方向となる形状とするのが望ましい。
発明者らは、前述したθ１とθ２の角度を変化させた種々の形状の分級羽根４１を用いて回転式分級部４０の分級性能の比較を行ったところ、図５に示す結果を得た。
【００４０】
図５は、２００メッシュを通過する粒径の固体燃料の積算重量割合と１００メッシュを通過せずに残存する粒径の固体燃料の積算重量割合との関係を示す図である。
図５に示す２００メッシュ通過率とは、回転式分級部４０から供給流路４２に排出される固体燃料のうち、２００メッシュのふるいを通過する固体燃料（粒子径が７５μｍ以下の微粒粉）の積算重量割合を示すものである。
一方、図５に示す１００メッシュ残存率比とは、回転式分級部４０から供給流路４２に排出される固体燃料のうち１００メッシュのふるいを通過しない固体燃料（粒子径が１５０μｍ以上の粗粒粉）の積算重量割合を示すものである。図５に示す１００メッシュ残存率比は、一定の１００メッシュ残存率を１とした場合の残存率の比率を示すものである。
図５において、同一の２００メッシュ通過率である場合には、１００メッシュ残存率比が小さい方が分級性能が高い。また、同一の１００メッシュ残存率比である場合には、２００メッシュ通過率が小さい方が分級性能が高い。
【００４１】
図５に示す結果は、分級羽根４１の長手方向を軸線Ｘ方向から傾斜させない（θ２＝０°）形状とする場合、θ１を７０°に設定する方が、θ１を６０°あるいは８０°に設定する場合よりも分級性能が高いことを示している。
また、図５に示す結果は、分級羽根４１をθ１が７０°である形状とする場合、θ２を１８°近傍に設定すると、θ２を０°とする場合よりも分級性能が高くなることを示している。
【００４２】
図５に示す結果から、発明者らは、θ１を以下の式（１）の範囲に設定することにより、高い分級性能を示すという知見を得た。特に、θ１を７０°に設定することにより、高い分級性能を示すという知見を得た。
６５°≦θ１≦７５°          （１）
【００４３】
また、図５に示す結果から、発明者らは、θ２を以下の式（２）の範囲に設定することにより、更に高い分級性能を示すという知見を得た。特に、θ２を１８°に設定することにより、高い分級性能を示すという知見を得た。
１３°≦θ２≦２３°          （２）
【００４４】
以上の式（１）を満たすようにすることにより、分級羽根４１の形状は、粗粒粉が飛散する飛散方向Ｆｏ１，Ｆｏ２と微粒粉が内周側空間Ｓ２へ導かれる流入方向Ｆｉ１，Ｆｉ２とが干渉せず、かつ飛散方向Ｆｏ１，Ｆｏ２が水平方向よりも上方に向けた方向となる形状となる。
この場合、θ２は、以下の式（３）の範囲に設定すればよい。
０°≦θ２≦２３°            （３）
また、式（１）および式（２）の双方を満たすようにすることにより、より高い分級性能を満たす分級羽根４１の形状を設定することができる。
【００４５】
以上説明した本実施形態の竪型ローラミル１００が奏する作用および効果について説明する。
本実施形態の竪型ローラミル１００によれば、燃料供給部２０によって回転テーブル１０に供給される固体燃料は、ローラ３０によって粉砕された後に吹出口５０が送風する一次空気とともに回転式分級部４０の外周側空間Ｓ１に導かれる。粉砕された固体燃料のうち所定粒径より小さい微粒粉は、外周側空間Ｓ１から複数の分級羽根４１に囲まれる内周側空間Ｓ２へ導かれる。一方、所定粒径より大きい粗粒粉は、複数の分級羽根４１との衝突によって内周側空間Ｓ２へ侵入することが抑制される。
【００４６】
本実施形態の竪型ローラミル１００によれば、回転式分級部４０の分級羽根４１と衝突した粗粒粉が飛散する飛散方向Ｆｏ１，Ｆｏ２と微粒粉が内周側空間Ｓ２へ導かれる流入方向Ｆｉ１，Ｆｉ２とが干渉しない。そのため、微粒粉の内周側空間Ｓ２への流入が粗粒粉によって妨げられることが抑制され、外周側空間Ｓ１から内周側空間Ｓ２への微粒粉の流入効率を高めることができる。
また、分級羽根４１が粗粒粉に衝突すると、粗粒粉は水平方向よりも上方に向けた方向へ飛散する。そのため、外周側空間Ｓ１の分級羽根４１の近傍の領域で下方から上方に向けた気流の流れが形成され、気流の流れの乱れによって粗粒粉が外周側空間Ｓ１から内周側空間Ｓ２へ流入してしまう不具合を抑制することができる。
【００４７】
本実施形態の竪型ローラミル１００は、軸線Ｘを中心とした複数の分級羽根４１の外周側端部４１ｃが通過する面が軸線Ｘに沿った上方から下方に向けて突出する円錐台の側面となっており、円錐台の側面と軸線Ｘに直交する平面とが形成する角度が６５度以上かつ７５度以下である。特に好ましい構成は、この角度を７０度とする構成である。
【００４８】
発明者らは、複数の分級羽根４１の外周側端部４１ｃが通過する面である円錐台の側面と軸線Ｘに直交する平面とが形成する角度θ１を変化させて回転式分級部４０の分級性能の比較を行ったところ、この角度を６５度以上かつ７５度以下とすることにより、高い分級性能が得られるという知見を得た。特に、この角度を７０度とすることにより、高い分級性能が得られるという知見を得た。
【００４９】
本実施形態によれば、複数の分級羽根４１の外周側端部４１ｃが通過する面である円錐台の側面の傾斜角度θ１を、軸線Ｘに直交する平面に対して６５度以上かつ７５度以下（好ましくは７０度）とすることにより、回転式分級部４０の外周側空間Ｓ１から内周側空間Ｓ２への微粒粉の流入効率を高めつつ、粗粒粉が外周側空間Ｓ１から内周側空間Ｓ２へ流入することを抑制することができる。
【００５０】
本実施形態の竪型ローラミル１００において、複数の分級羽根４１のそれぞれは、軸線Ｚに沿った長手方向の一端部４１ａを軸線Ｘに沿った上方に配置するとともに他端部４１ｂを軸線Ｘに沿った下方に配置した平板状であるとともに、一端部４１ａの方が他端部４１ｂよりも回転式分級部４０の回転方向の上流側に後退した位置となるように長手方向が軸線方向からθ２だけ傾斜している。
【００５１】
本実施形態によれば、平板状の分級羽根４１の長手方向の一端部４１ａの方が他端部４１ｂよりも回転式分級部４０の回転方向の上流側に後退した位置となるように長手方向が軸線Ｘ方向からθ２だけ傾斜している。そのため、平板状の分級羽根４１の法線方向は、水平方向よりも上方に向けて角度θ２だけ傾斜した方向となる。よって、分級羽根４１に衝突した粗粒粉は、水平方向よりも上方に向けた方向に飛散する。
そのため、長手方向が軸線Ｘ方向から角度θ２だけ傾斜した平板状の分級羽根４１の作用によって、外周側空間Ｓ１の分級羽根４１の近傍の領域で下方から上方に向けた気流の流れがより確実に形成され、気流の流れの乱れによって粗粒粉が外周側空間Ｓ１から内周側空間Ｓ２へ流入してしまう不具合を抑制することができる。
【００５２】
本実施形態の竪型ローラミル１００においては、分級羽根４１を軸線Ｘに直交しかつ分級羽根４１と軸線Ｘとを通過する径方向からみた場合に、長手方向が軸線Ｘ方向から１３度以上かつ２３度以下の角度で傾斜している。
発明者らは、長手方向が軸線Ｘ方向から傾斜した平板状の分級羽根４１の傾斜角度（分級羽根４１を径方向からみた場合に分級羽根４１の長手方向が軸線Ｘ方向となす角度）を変化させて回転式分級部４０の分級性能の比較を行ったところ、この角度を１３度以上かつ２３度以下の角度とすることにより、高い分級性能が得られるという知見を得た。特に、この角度を１８度とすることにより、高い分級性能が得られるという知見を得た。
本実施形態によれば、回転式分級部４０の外周側空間Ｓ１から内周側空間Ｓ２への微粒粉の流入効率を高めつつ、粗粒粉が外周側空間Ｓ１から内周側空間Ｓ２へ流入することを抑制することができる。
【符号の説明】
【００５３】
１０    回転テーブル
１０ａ  中央部
１０ｂ  外周部
２０    燃料供給部
３０    ローラ
３１    揺動軸
３２    ローラ本体
３３    支持軸
４０    回転式分級部
４１    分級羽根（羽根）
４１ａ  一端部
４１ｂ  他端部
４１ｃ  外周側端部
４２    供給流路
５０    吹出口（送風部）
５１    一次空気流路
６０    ハウジング
７０    駆動部
７１    駆動軸
８０    旋回用ベーン
１００  竪型ローラミル
Ｓ１    外周側空間
Ｓ２    内周側空間
Ｘ，Ｙ  軸線
【図１】
0006352162.tif 000002
【図２】
0006352162.tif 000003
【図３】
0006352162.tif 000004
【図４】
0006352162.tif 000005
【図５】
0006352162.tif 000006